(57)【要約】【課題】下向きの荷重に対する天井の剛性を向上できる、天井パネルの補強構造、及び天井を、提供する。【解決手段】この発明の天井パネルの補強構造は、互いに隣接する一対の天井パネルのそれぞれに取り付けられた、交差補強部材を備え、平面視において、交差補強部材は、一対の天井パネルの端縁どうしが突き合わされて接続された接続部に平行な接続部延在方向に対して交差する方向に延在しているとともに、該接続部と交差している。【選択図】図２
2018059324.tif 000002
【特許請求の範囲】
【請求項１】
互いに隣接する一対の天井パネルのそれぞれに取り付けられた、交差補強部材を備え、
平面視において、前記交差補強部材は、前記一対の天井パネルの端縁どうしが突き合わされて接続された接続部に平行な接続部延在方向に対して交差する方向に延在しているとともに、該接続部と交差している、天井パネルの補強構造。
【請求項２】
平面視において、前記交差補強部材の両端部は、前記一対の天井パネルの配列方向における前記一対の天井パネルのそれぞれの中心よりも、前記配列方向の外側に位置する、請求項１に記載の天井パネルの補強構造。
【請求項３】
平面視において、前記交差補強部材は、前記接続部の両端部よりも前記接続部延在方向の内側で、該接続部と交差している、請求項１又は２に記載の天井パネルの補強構造。
【請求項４】
平面視において、前記一対の天井パネルは、それぞれ、前記天井パネルの外周縁よりも内側にリブを有しており、
前記交差補強部材は、前記一対の天井パネルのそれぞれの前記リブに取り付けられている、請求項１〜３のいずれか一項に記載の天井パネルの補強構造。
【請求項５】
平面視において、複数の前記交差補強部材が、それぞれ、前記接続部の両端部よりも前記接続部延在方向の内側で、該接続部と交差しており、
前記複数の交差補強部材は、それぞれ、前記一対の天井パネルの配列方向に、平行である、請求項１〜４のいずれか一項に記載の天井パネルの補強構造。
【請求項６】
前記接続部延在方向に延在するとともに該接続部に取り付けられた、接続部補強部材を、さらに備えた、請求項１〜５のいずれか一項に記載の天井パネルの補強構造。
【請求項７】
平面視において、前記交差補強部材と前記接続部補強部材とは、互いに交差していない、請求項６に記載の天井パネルの補強構造。
【請求項８】
平面視において、前記接続部の前記接続部延在方向の中心に対する前記接続部延在方向の両側で、一対の前記交差補強部材が、それぞれ前記接続部と交差しており、
平面視において、前記接続部補強部材は、前記一対の交差補強部材どうしの間に位置している、請求項６又は７に記載の天井パネルの補強構造。
【請求項９】
平面視において、前記交差補強部材は、前記接続部の両端部のうち該交差補強部材に隣接するほうの端部よりも、前記接続部補強部材の両端部のうち該交差補強部材に隣接するほうの端部に近い位置で、前記接続部と交差している、請求項６〜８のいずれか一項に記載の天井パネルの補強構造。
【請求項１０】
互いに接続された複数の天井パネルと、
前記複数の天井パネルのうち、少なくとも互いに隣接する一対の天井パネルに取り付けられた、請求項１〜９のいずれか一項に記載の天井パネルの補強構造と、
を備えた、天井。
【発明の詳細な説明】
【技術分野】
【０００１】
この発明は、例えばユニットバス等のユニットルームの天井に好適に適用し得る、天井パネルの補強構造、及び天井に関するものである。
【背景技術】
【０００２】
従来、複数の天井パネルからなる天井として、互いに隣接する天井パネルの端縁どうしが突き合わされて接続された接続部に、接続部に沿って延在する補強部材（連結部材）が取り付けられたものがある（例えば、特許文献１）。
【先行技術文献】
【特許文献】
【０００３】
【特許文献１】特開平8-302889号公報
【発明の概要】
【発明が解決しようとする課題】
【０００４】
しかし、上記のような天井では、天井パネルどうしの接続部の下向きの荷重に対する強度が十分ではなく、天井の自重等による天井の垂れ下がりを、十分に抑制できなかった。そのため、例えば、上記の天井を、ユニットバス等のユニットルームの天井に用いる場合、ユニットルームを組み立てる際の組み立て手順に制約が生じるために、ユニットルームの施工性を向上できない、などといった問題があった。
【０００５】
この発明は、上述した課題を解決するためのものであり、下向きの荷重に対する天井の剛性を向上できる、天井パネルの補強構造、及び天井を、提供することを目的とするものである。
【課題を解決するための手段】
【０００６】
本発明の天井パネルの補強構造は、互いに隣接する一対の天井パネルのそれぞれに取り付けられた、交差補強部材を備え、平面視において、前記交差補強部材は、前記一対の天井パネルの端縁どうしが突き合わされて接続された接続部に平行な接続部延在方向に対して交差する方向に延在しているとともに、該接続部と交差している。
本発明の天井パネルの補強構造によれば、下向きの荷重に対する天井の剛性を向上できる。
【０００７】
本発明の天井パネルの補強構造において、平面視において、前記交差補強部材の両端部は、前記一対の天井パネルの配列方向における前記一対の天井パネルのそれぞれの中心よりも、前記配列方向の外側に位置すると、好適である。
この構成によれば、下向きの荷重に対する天井の剛性を向上できる。
【０００８】
本発明の天井パネルの補強構造において、平面視において、前記交差補強部材は、前記接続部の両端部よりも前記接続部延在方向の内側で、該接続部と交差していると、好適である。
この構成によれば、下向きの荷重に対する天井の剛性を向上できる。
【０００９】
本発明の天井パネルの補強構造において、平面視において、前記一対の天井パネルは、それぞれ、前記天井パネルの外周縁よりも内側にリブを有しており、前記交差補強部材は、前記一対の天井パネルのそれぞれの前記リブに取り付けられていると、好適である。
この構成によれば、天井の施工性を向上できる。
【００１０】
本発明の天井パネルの補強構造において、平面視において、複数の前記交差補強部材が、それぞれ、前記接続部の両端部よりも前記接続部延在方向の内側で、該接続部と交差しており、前記複数の交差補強部材は、それぞれ、前記一対の天井パネルの配列方向に、平行であると、好適である。
この構成によれば、下向きの荷重に対する天井の剛性を向上できる。
【００１１】
本発明の天井パネルの補強構造において、前記接続部延在方向に延在するとともに該接続部に取り付けられた、接続部補強部材を、さらに備えていると、好適である。
この構成によれば、下向きの荷重に対する天井の剛性を向上できる。
【００１２】
本発明の天井パネルの補強構造において、平面視において、前記交差補強部材と前記接続部補強部材とは、互いに交差していないと、好適である。
この構成によれば、天井全体の剛性のバランスを良好にできる。
【００１３】
本発明の天井パネルの補強構造において、平面視において、前記接続部の前記接続部延在方向の中心に対する前記接続部延在方向の両側で、一対の前記交差補強部材が、それぞれ前記接続部と交差しており、平面視において、前記接続部補強部材は、前記一対の交差補強部材どうしの間に位置していると、好適である。
この構成によれば、下向きの荷重に対する天井の剛性を向上できる。
【００１４】
本発明の天井パネルの補強構造において、平面視において、前記交差補強部材は、前記接続部の両端部のうち該交差補強部材に隣接するほうの端部よりも、前記接続部補強部材の両端部のうち該交差補強部材に隣接するほうの端部に近い位置で、前記接続部と交差していると、好適である。
この構成によれば、下向きの荷重に対する天井の剛性を向上できる。
【００１５】
本発明の天井は、互いに接続された複数の天井パネルと、前記複数の天井パネルのうち、少なくとも互いに隣接する一対の天井パネルに取り付けられた、請求項１〜９のいずれか一項に記載の天井パネルの補強構造と、を備えている。
本発明の天井によれば、下向きの荷重に対する天井の剛性を向上できる。
【発明の効果】
【００１６】
この発明によれば、下向きの荷重に対する天井の剛性を向上できる、天井パネルの補強構造、及び天井を、提供することができる。
【図面の簡単な説明】
【００１７】
【図１】本発明の一実施形態に係る天井パネルの補強構造を有する天井を備えた、ユニットバスを示す、斜視図である。
【図２】図１の天井を示す平面図である。
【図３】図１の天井を示す斜視図である。
【図４】図４（ａ）は、図１の天井の一部を、図３のＡ−Ａ線に沿う断面とともに示す、一部断面斜図である。図４（ｂ）は、図１の天井のうち、図３の破線の円Ｂで囲った部分を、切り欠き断面とともに示す、一部断面斜図である。
【図５】図５（ａ）及び図５（ｂ）は、天井の撓もうとする方向を説明するための図である。
【図６】図１のユニットバスの組み立て手順の一例を説明するための図であり、天井を組み立てる様子を示す図である。
【図７】図６のユニットバスの組み立て手順の例において、天井を支柱に組み付ける様子を示す図である。
【図８】図６のユニットバスの組み立て手順の例において、壁パネルを組み付ける様子を示す図である。
【図９】本発明の一変形例に係る天井パネルの補強構造を有する天井を示す、平面図である。
【発明を実施するための形態】
【００１８】
以下に、図面を参照しつつ、この発明に係る天井パネルの補強構造、及び天井の実施形態を例示説明する。
【００１９】
図１〜図８は、本発明の一実施形態に係る天井パネルの補強構造、及び天井を説明するための図である。
図１は、本実施形態の天井パネルの補強構造を有する天井５０を備えたユニットバス１を示している。本例において、ユニットバス１は、浴槽１０と、洗い場２０と、複数の壁パネル３０と、ドア（図示せず）と、複数（本例では２つ）の天井パネル５００と、壁パネル３０や天井パネル５００を支持する支柱４０と、を備えている。本例では、ユニットバス１が、２つの天井パネル５００を備えており、これら２つの天井パネル５００が、締結によって接続されて、本実施形態の天井５０を構成している。ユニットバス１の四隅のコーナー部には、それぞれ、鉛直に延びる支柱４０が設置されている。支柱４０どうしの間には、壁パネル３０やドアが配置されている。支柱４０の上端には、天井５０が配設されている。
図１の例において、ユニットバス１は、浴槽１０と洗い場２０とが別体であって、洗い場２０を構成する防水パン２１が浴槽１０の下側にまで延長された、いわゆるフルパンタイプのユニットバスである。しかし、本実施形態の天井５０は、浴槽１０と洗い場２０とが一体に構成され、浴槽１０の下側に防水パンを有しない、いわゆるハーフパンタイプのユニットバス等、任意のユニットルームに好適に適用できるものである。
【００２０】
図１の例では、天井５０を構成する一対の天井パネル５００のうち、一方の天井パネル５００は、浴槽１０の上側に位置し、例えば換気扇や照明器具を取り付けるための、貫通孔５０３ａを有している。また、他方の天井パネル５００は、洗い場２０の上側に位置し、例えば点検口用の、貫通孔５０３ｂを有している。
【００２１】
図２は、本実施形態の天井５０をその上側から平面視したときの様子を示しており、図３は、本実施形態の天井５０をその斜め上側から観たときの様子を示している。本例において、天井５０は、互いに隣接する一対の天井パネル５００と、これらの天井パネル５００の上面側（裏面側）に取り付けられた、天井パネルの補強構造とを、備えている。本実施形態において、天井パネルの補強構造は、交差補強部材５２０と接続部補強部材５４０とを有している。
【００２２】
天井パネル５００は、例えば、繊維強化プラスチック（ＦＲＰ：Fiber-Reinforced Plastics）等の樹脂から形成される。本例において、天井パネル５００は、天井パネル５００の下面を構成するベース板５０３と、ベース板５０３の外周縁に沿ってベース板５０３の上面（裏面）に垂直に立設されたフランジ５０２と、フランジ５０２よりも内側（内周側）で、ベース板５０３の上面（裏面）に垂直に立設された補強用のリブ５０４とを、有している。ベース板５０３、フランジ５０２、及びリブ５０４は、一体に構成されている。本例において、各天井パネル５００は、平面視において長方形に形成されている。
本明細書では、天井パネル５００の平面視において、天井パネル５００のなす長方形状の長辺の延在方向を「パネル長手方向ＬＤ」といい、この長手方向ＬＤに垂直な、当該長方形状の短辺の延在方向を「パネル幅方向ＷＤ」という。
リブ５０４は、それぞれパネル長手方向ＬＤに平行に延在するとともに互いからパネル幅方向ＷＤに離間された、複数の縦リブ５０４Ｌと、それぞれパネル幅方向ＷＤに平行に延在するとともに互いからパネル長手方向ＬＤに離間された、複数の横リブ５０４Ｗとを、有している。本例では、縦リブ５０４Ｌと横リブ５０４Ｗとが、天井パネル５００の一部の領域で、垂直に交差している。
【００２３】
天井５０を構成する一対の天井パネル５００は、それぞれのパネル長手方向ＬＤに平行な端縁（フランジ５０２と、ベース板５０３のうちフランジ５０２の下側に連続する部分とからなる、端壁）５０１どうしが突き合わされた状態で、互いに接続されている。天井パネル５００の端縁５０１どうしが突き合わせられて接続された部分は、接続部Ｊを構成する。本例において、接続部Ｊは、パネル長手方向ＬＤに平行に延在している。接続部Ｊでは、両側の天井パネル５００のフランジ５０２どうしが、互いに接触した状態で、ビス等の固定具Ｆにより、締結により接続されている。
本明細書では、接続部Ｊに平行な方向を「接続部延在方向ＪＤ」という。本例において、接続延在方向ＪＤは、パネル長手方向ＬＤに平行である。
また、一対の天井パネル５００が配列された（並んだ）方向を「配列方向ＡＤ」という。配列方向ＡＤは、平面視において、一対の天井パネル５００のそれぞれの外形状（本例では長方形）の幾何学的中心点どうしを通る直線の延在方向とする。本例において、配列方向ＡＤは、天井パネル５００のパネル幅方向ＷＤに平行であり、接続部延在方向ＪＤに対して垂直である。
【００２４】
天井は、一般的に、四方の壁の上端に配設された状態においては、天井の外周縁側では、壁によって支えられているので下側に撓みにくいが、天井の内周側（中央部）では、天井を支えるものが無いため、天井の自重や、天井に取り付けられる換気扇や照明器具等の荷重によって、下側に撓みやすい。特に、本実施形態のように、天井が互いに分割された複数の天井パネル５００から構成される場合、天井パネルどうしの接続部Ｊでは、下向きの荷重に対する強度が特に弱いため、天井が１つの天井パネルのみから構成される場合に比べて、垂れ下がりやすいという傾向がある。
交差補強部材５２０及び接続部補強部材５４０は、一対の天井パネル５００どうしの接続部Ｊの下向きの荷重に対する剛性を高め、ひいては、天井５０全体の剛性を高めて、天井５０が下側に撓むのを抑制するものである。
【００２５】
交差補強部材５２０及び接続部補強部材５４０は、それぞれ、天井パネル５００を構成する材料よりも硬い材料で構成されると好適であり、本例では、金属材料から構成されている。本例では、交差補強部材５２０及び接続部補強部材５４０は、直線状に延在するビーム状に構成されている。より具体的に、本例では、交差補強部材５２０及び接続部補強部材５４０は、断面Ｌ字型のアングル（山形鋼）であり、そのため、それぞれの延在方向に対して垂直な方向に非常に曲がりにくいものである。
【００２６】
本実施形態では、接続部補強部材５４０が、接続部Ｊに取り付けられている。平面視において、接続部補強部材５４０は、接続部Ｊに沿って、接続部延在方向ＪＤに延在している。
より具体的に、本例では、図２、図３、及び、図３のＡ−Ａ線に沿う断面を示す図４（ａ）に示すように、接続部補強部材５４０は、互いに垂直な一対の平板状の片部５４０ａ、５４０ｂどうしが一体に構成されている。接続部補強部材５４０の一方の片部５４０ａは、接続部Ｊの配列方向ＡＤの外側の面に当接しており、より具体的には、接続部Ｊを構成する各天井パネル５００のフランジ５０２の、互いとの接触面とは反対側の面に当接している。そして、接続部補強部材５４０の片部５４０ａに予め形成された複数の貫通孔５４０ａ（図６）には、それぞれ、ビス等の固定具Ｆが通されており、固定具Ｆは、接続部Ｊを構成する各フランジ５０２をも貫通している。このようにして、接続部補強部材５４０が、接続部Ｊで、各天井パネル５００に、締結により取り付けられている。
接続部補強部材５４は、接続部Ｊに平行に接続部Ｊに取り付けられているので、主に、下向きの荷重に対する接続部Ｊの強度を高めることができ、ひいては、接続部延在方向ＪＤに平行な鉛直平面内で接続部Ｊが下側に凸の湾曲形状（図５（ａ）参照。）になろうとするような、天井５０の撓みを、抑制するように作用する。
【００２７】
さらに、本実施形態では、２つの交差補強部材５２０が、一対の天井パネル５００のそれぞれに取り付けられている。平面視において、各交差補強部材５２０は、接続部延在方向ＪＤに対して交差する方向に延在しているとともに、接続部Ｊと交差している。
より具体的に、本例では、図２及び図３に示すように、平面視において、各交差補強部材５２０は、接続部延在方向ＪＤに対して垂直な方向（すなわち、本例では天井パネル５００の配列方向ＡＤ）に、延在している。図３の破線の円Ｂで囲った部分を示す図４（ｂ）に示すように、各交差補強部材５２０は、互いに垂直な一対の平板状の片部５２０ａ、５２０ｂどうしが一体に構成されている。交差補強部材５２０の一方の片部５２０ａは、各天井パネル５００の横リブ５０４Ｗにおけるパネル長手方向ＬＤのいずれか一方側の面に当接している。そして、交差補強部材５２０の片部５２０ａに予め形成された複数の貫通孔５２０ａ（図６）には、それぞれ、ビス等の固定具Ｆが通されており、固定具Ｆは、横リブ５０４Ｗをも貫通している。このようにして、交差補強部材５２０が、一対の天井パネル５００のそれぞれに、締結により取り付けられている。
ただし、交差補強部材５２０は、平面視において、接続部延在方向ＪＤに対して鋭角のなす角度をもって傾斜した方向に延在してもよい。平面視において、交差補強部材５２０と接続部延在方向ＪＤとの（９０°以下のほうの）なす角度は、８０°〜９０°であると、好適である。
なお、本例では、天井パネル５００が樹脂製であるため、締結にあたって、天井パネル５００には予め、固定具Ｆを通すための貫通孔が形成されていなくとも、固定具Ｆをフランジ５０２やリブ５０４に貫通させることが可能である。
交差補強部材５２０は、平面視において接続部Ｊに交差する方向に延びるとともに接続部Ｊと交差しているので、主に、接続部延在方向ＪＤに直交する鉛直平面内（ひいては、本例では配列方向ＡＤに平行な鉛直平面内）で接続部Ｊに向かうにつれて下側に下がる屈曲形状（図５（ｂ）参照。）になろうとするような、天井５０の撓みを、抑制するように作用する。
【００２８】
本実施形態では、接続部補強部材５４０及び交差補強部材５２０によって、天井５０全体の下向きの荷重に対する剛性を高めることができる。これにより、例えば、ユニットバス１を組み立てる際の組み立て手順の自由度を向上でき、ひいては、ユニットバスの施工性を向上できる。
以下、このことについてさらに詳しく説明する。
ユニットバス１を組み立てる際には、まず、４隅に支柱４０の下端を防水パン２１等に固定することにより、支柱４０を立設させ、その後、壁パネル３０及び天井パネル５００を支柱４０に組み付ける。ここで、壁パネル３０の組み付け前に天井パネル５００の組み付けを行うことができれば、その後の壁パネル３０の組み付けの際に、支柱４０の上端が天井５０によって固定されて、支柱４０のぐらつきが抑制されるので、望ましい。
しかし、仮に、例えば特許文献１のように、一対の天井パネル５００が、交差補強部材５２０によって補強されておらず、接続部補強部材５４０のみによって補強されている場合、壁パネル３０の組み付け前に天井５０を支柱４０の上端に組み付けようとすると、天井５０は、接続部補強部材５４０によって、接続部延在方向ＪＤに平行な鉛直平面内で接続部Ｊが下側に凸の湾曲形状になろうとするような撓み（図５（ａ）参照。）が抑制されるものの、接続部延在方向ＪＤに直交する鉛直平面内（ひいては、本例では配列方向ＡＤに平行な鉛直平面内）で接続部Ｊに向かうにつれて下側に下がるような屈曲形状（図５（ｂ）参照。）に撓もうとする。そのため、壁パネル３０が支柱４０間に組み付けられていない状態で天井５０を支柱４０の上端に組み付けるのが困難となる。したがって、この場合、支柱４０を設置後に、さきに壁パネル３０を支柱４０間に組み付け、その後に天井５０を組み付ける、という手順を取る必要がある。これにより、天井５０を組みつける際に、天井５０の外周縁が壁パネル３０によって支えられるので、天井５０の垂れ下がりを抑制でき、比較的安定的に天井５０を組みつけることが可能となる。しかし、その場合、壁パネル３０を支柱４０間に組み付ける際に、上端が固定されていない状態にある支柱４０がぐらついたり倒れたりしやすいため、壁パネル３０を支柱４０間に組み付ける作業がしづらくなる。
【００２９】
そこで、本実施形態では、接続部補強部材５４０に加えて、交差補強部材５２０によって、一対の天井パネル５００を補強することにより、天井５０が、接続部延在方向ＪＤに直交する鉛直平面内（ひいては、本例では配列方向ＡＤに平行な鉛直平面内）で接続部Ｊに向かうにつれて下側に下がる屈曲形状（図５（ｂ）参照。）になろうとするような撓みも、抑制できる。
これによって、次の手順でユニットバス１を組み立てることができるようになる。
すなわち、まず、４隅に支柱４０の下端を防水パン２１等に固定することにより、支柱４０を立設させる。
また、図６に示すように、天井５０を組み立てる。その際、まず、一対の天井パネル５００の端縁５０１どうしを突き合わせ、その接続部Ｊに、接続部補強部材５４０を当接させて、これらを固定具Ｆにより固定する。これにより、接続部補強部材５４０が接続部Ｊに取り付けられるとともに、互いに突き合わされた天井パネル５００の端縁５０１どうしが接続される。つぎに、交差補強部材５２０を、固定具Ｆにより、各天井パネル５００の横リブ５０４Ｗに取り付ける。さらに、本例では、天井５０の外周縁の４隅のコーナー部に、天井５０と支柱４０とを連結するためのコーナー連結具５５０を、固定具Ｆにより取り付ける。コーナー連結具５５０が天井５０に取り付けられた状態において、コーナー連結具５５０の一部分は、天井５０の下端よりも下側に突出している。
その後、図７に示すように、組み立てが完了した天井５０を、支柱４０の上端に組み付ける。その際、天井５０の４隅に設けられたコーナー連結具５５０の、天井５０よりも下側に突出した部分が、それぞれ対応する支柱４０に、上側から嵌め込まれる。このとき、コーナー連結具５５０の下側部分の貫通孔５５０ａと支柱４０の上端部の貫通孔４０ａとが連通し、そこで、固定具Ｆにより、コーナー連結具５５０が支柱４０と固定される。ここで、本実施形態では、接続部補強部材５４０及び交差補強部材５２０によって天井５０が垂れ下がりにくくされているので、天井５０を支柱４０の上端に組み付ける作業を、安定的に行うことが可能となる。
その後、図８に示すように、壁パネル３０やドア３１を、支柱４０間に組み付ける。このとき、支柱４０の上端は天井５０によってぐらつきが抑制されているため、壁パネル３０の組み付け作業を安定的に行うことができる。
【００３０】
以上のように、本実施形態によれば、接続部補強部材５４０に加えて交差補強部材５２０によって天井５０が補強されているので、天井５０全体の下向きの荷重に対する剛性を高めることができ、ひいては、天井５０の垂れ下がりを効果的に抑制することができる。このため、ユニットバス１の施工時において、壁パネル３０を組み付ける前に天井５０を支柱４０の上端に組み付けることが可能となるので、その後の壁パネル３０の組み付け作業を安定的に行うことができる。よって、ユニットバス１の施工性を向上できる。
また、本実施形態によれば、ユニットバス１の施工後も、天井５０が、天井５０の自重や、天井５０に取り付けられる換気扇や照明器具等の荷重によって、垂れ下がるのを、より効果的に抑制できる。
【００３１】
なお、図９の変形例のように、平面視において、一対の天井パネル５００が、接続部補強部材５４０によって補強されず、１つ又は複数の（好ましくは複数の）交差補強部材５２０のみによって補強されてもよい。
図９の例では、４つの交差補強部材５２０によって、一対の天井パネル５００が補強されている。
この構成によっても、天井５０が接続部延在方向ＪＤに直交する鉛直平面内（ひいては、本例では配列方向ＡＤに平行な鉛直平面内）で接続部Ｊに向かうにつれて下側に向かうような屈曲形状（図５（ｂ）参照。）に撓むのを効果的に抑制でき、また、天井５０が接続部延在方向ＪＤに平行な鉛直平面内で下側に凸の湾曲形状（図５（ａ）参照。）に撓むのを効果的に抑制できる。よって、天井５０全体の剛性を向上できる。
【００３２】
なお、図２及び図９の例のように、平面視において、一対の天井パネル５００に設けられた１つ又は複数の交差補強部材５２０のうち、少なくとも１つ（好ましくは全部）の交差補強部材５２０の両端部５２１は、一対の天井パネル５００の配列方向ＡＤにおける一対の天井パネル５００のそれぞれの中心Ｃよりも、パネル配列方向ＡＤの外側に位置していると、好適である。この構成によれば、比較的垂れ下がりやすい、各パネル５００のそれぞれの中央部や、天井５０全体を観たときの天井５０の中央部に、交差補強部材５２０を配置できるので、天井５０全体の剛性をさらに向上できる。
なお、図２及び図９の例において、各交差補強部材５２０の両端部５２１は、平面視において、天井５０の外周縁よりも内側（内周側）に位置している。
【００３３】
また、図２及び図９の例のように、平面視において、一対の天井パネル５００に設けられた１つ又は複数の交差補強部材５２０のうち、少なくとも１つ（好ましくは全部）の交差補強部材５２０は、接続部Ｊの両端部Ｊｅよりも接続部延在方向ＪＤの内側で、該接続部Ｊと交差していると、好適である。言い換えれば、交差補強部材５２０は、平面視において、接続部Ｊの両端部Ｊｅで、接続部Ｊと交差していないと、好適である。この構成によれば、天井５０が接続部延在方向ＪＤに直交する鉛直平面内（ひいては、本例では配列方向ＡＤに平行な鉛直平面内）で接続部Ｊに向かうにつれて下側に向かうような屈曲形状（図５（ｂ）参照。）に撓むのをさらに効果的に抑制でき、また、天井５０が接続部延在方向ＪＤに平行な鉛直平面内で下側に凸の湾曲形状（図５（ａ）参照。）に撓むのをさらに効果的に抑制できる。よって、天井５０全体の剛性をさらに向上できる。
【００３４】
また、図２及び図９の例のように、平面視において、一対の天井パネル５００は、それぞれ、天井パネル５００の外周縁よりも内側にリブ５０４を有しており、また、一対の天井パネル５００に設けられた１つ又は複数の交差補強部材５２０のうち、少なくとも１つ（好ましくは全部）の交差補強部材５２０は、一対の天井パネル５００のそれぞれのリブ５０４（具体的には横リブ５０４Ｗ）に取り付けられていると、好適である。これによれば、交差補強部材５２０を天井パネル５００の外周縁よりも内側に取り付ける際の取り付け作業が簡単となる。よって、天井の施工性を向上できる。
なお、天井パネル５００の外周縁よりも内側にリブ５０４が無くてもよく、その場合、交差補強部材５２０を接着等によって、天井パネル５００の外周縁よりも内側に取り付けてもよい。
【００３５】
また、平面視において、一対の天井パネル５００に設けられた１つ又は複数の交差補強部材５２０のうち、少なくとも１つの交差補強部材５２０は、天井パネル５００の外周縁上に取り付けられてもよい。その場合、交差補強部材５２０は、例えば、各天井パネル５００のフランジ５０２に取り付けるとよい。
【００３６】
図２及び図９の例のように、平面視において、複数の交差補強部材５２０が、それぞれ、接続部Ｊの両端部Ｊｅよりも接続部延在方向ＪＤの内側で、接続部Ｊと交差し、また、これらの交差補強部材５２０は、それぞれ、一対の天井パネル５００の配列方向ＡＤに、平行であると、好適である。この構成によれば、天井５０が接続部延在方向ＪＤに直交する鉛直平面内（ひいては、本例では配列方向ＡＤに平行な鉛直平面内）で接続部Ｊに向かうにつれて下側に向かうような屈曲形状（図５（ｂ）参照。）に撓むのをさらに効果的に抑制でき、また、天井５０が接続部延在方向ＪＤに平行な鉛直平面内で下側に凸の湾曲形状（図５（ａ）参照。）に撓むのをさらに効果的に抑制できる。よって、天井５０全体の剛性をさらに向上できる。
【００３７】
図２の例のように、平面視において、一対の天井パネル５００に設けられた１つ又は複数の交差補強部材５２０のうち、少なくとも１つ（好ましくは全部）の交差補強部材５２０と、接続部補強部材５４０とは、互いに交差していないと、好適である。この構成によれば、天井５０全体の中で部分的に剛性の高い箇所ができるのを回避できるため、天井５０全体の剛性のバランスを良好にできる。
【００３８】
図２の例のように、平面視において、接続部Ｊの接続部延在方向ＪＤの中心Ｏに対する接続部延在方向ＪＤの両側で、一対の交差補強部材５２０が、それぞれ接続部Ｊと交差しており、平面視において、接続部補強部材５４０は、一対の交差補強部材５２０どうしの間に位置していると、好適である。この構成によれば、天井５０の接続部延在方向ＪＤの中央側では、接続部補強部材５４０によって、天井５０が撓むのを効果的に抑制し、また、天井５０の接続部延在方向ＪＤの両端側では、接続部延在方向ＪＤの両側の一対の交差補強部材５２０によって、天井５０が撓むのを効果的に抑制することで、天井５０全体の剛性のバランスを良好にできる。
【００３９】
図２の例のように、平面視において、一対の天井パネル５００に設けられた１つ又は複数の交差補強部材５２０のうち、少なくとも１つ（好ましくは全部）の交差補強部材５２０は、接続部Ｊの両端部Ｊｅのうち該交差補強部材５２０に隣接するほうの端部Ｊｅよりも、接続部補強部材５４０の両端部５４１のうち該交差補強部材５２０に隣接するほうの端部５４１に近い位置で、接続部Ｊと交差していると、好適である。天井５０の中央（内周側）には、通常、換気扇や照明器具等が取り付けられるため、垂れ下がりやすいが、天井５０の外周側は、壁パネル３０によって支持されるため、さほど垂れ下がりは生じない。よって、交差補強部材５２０をなるべく天井５０の中央に寄せて配置することで、天井５０全体の剛性のバランスを良好にできる。
【００４０】
なお、上述した例では、天井５０が２つの天井パネル５００から構成されているが、天井５０は３つ以上の天井パネル５００から構成されてもよい。その場合、接続部補強部材５４０や交差補強部材５２０は、３つ以上の天井パネル５０に連続して取り付けられてもよい。ただし、その場合も、天井５０を構成する各天井パネル５０のうち、少なくとも互いに隣接する一対の天井パネル５０を観たときに、天井パネルの補強構造が、上述した構成となっていればよい。
【産業上の利用可能性】
【００４１】
本発明による天井パネルの補強構造は、例えば、ユニットバス等のユニットルームの天井に利用できる。
【符号の説明】
【００４２】
１：ユニットバス（ユニットルーム）、  １０：浴槽、  ２０：洗い場、  ２１：防水パン、  ３０：壁パネル、  ３１：ドア、  ４０：支柱、  ５０：天井、  ５００：天井パネル、  ５０１：端縁、  ５０２：フランジ、  ５０３：ベース板、  ５０３ａ、５０３ｂ：貫通孔、  ５０４、５０４Ｌ、５０４Ｗ：リブ、  ５２０：交差補強部材、  ５２０ａ、５２０ｂ：片部、  ５２１：交差補強部材の端部、  ５４０：接続部補強部材、  ５４０ａ、５４０ｂ：片部、  ５４１：接続部補強部材の端部、  ５５０：コーナー連結具、  ＡＤ：配列方向、  Ｆ：固定具、  Ｊ：接続部、  ＪＤ：接続部延在方向、  ＬＤ：パネル長手方向、  ＷＤ：パネル幅方向
【図１】
2018059324.tif 000003
【図２】
2018059324.tif 000004
【図３】
2018059324.tif 000005
【図４】
2018059324.tif 000006
【図５】
2018059324.tif 000007
【図６】
2018059324.tif 000008
【図７】
2018059324.tif 000009
【図８】
2018059324.tif 000010
【図９】
2018059324.tif 000011